(57)【特許請求の範囲】
【請求項１】
コンクリート建造物の外壁構造であって、コンクリート建造物の外壁のひび割れが形成された下地上に樹脂系仕上げ塗材からなる樹脂系仕上げ層が形成され、該樹脂系仕上げ層上に、前記ひび割れを覆うように補強テープが貼られ、前記樹脂系仕上げ層および前記補強テープの上に無機系仕上げ塗材からなる無機系仕上げ層が形成され、
前記補強テープは、接着剤が含浸された布材からなることを特徴とする外壁構造。
【請求項２】
コンクリート建造物外壁面の外装仕上げを行うに際して、まず、該コンクリート建造物の外壁のひび割れが形成された下地面に樹脂系仕上げ塗材を塗布して樹脂系仕上げ層を形成し、次いで、この樹脂系仕上げ層上に、前記ひび割れを覆うように、接着剤が含浸された布材からなる補強テープを貼り、前記樹脂系仕上げ層および前記補強テープの上に無機系仕上げ塗材を塗布して無機系仕上げ層を形成することを特徴とする外壁面の外装仕上げ方法。
【請求項３】
前記樹脂系仕上げ塗材がウレタン系樹脂からなる防水材であることを特徴とする請求項２記載の外壁面の外装仕上げ方法。
【発明の詳細な説明】
【０００１】
【発明の属する技術分野】
本発明は、コンクリート建造物の外壁構造とこの外壁構造の形成に好適に採用される外壁面の外装仕上げ方法に関する。
【０００２】
【従来の技術】
一般にコンクリート建造物の外壁構造は、コンクート躯体上にモルタル等の下地層が形成され、その上に仕上げ層として樹脂系（有機系）の外壁防水材が塗布されるか、あるいは無機系の仕上げ材が塗布されて形成される。
【０００３】
【発明が解決しようとする課題】
ところが、樹脂系の塗材で外装仕上げ層を形成した場合には、紫外線劣化が起こり易く機能低下を招くため耐用年数が短くなり、また塗膜が膨れ易いといった課題があり、さらに無機的な意匠性を出すことができず、汚れ易いといった課題もある。
【０００４】
一方、無機系の塗材で外装仕上げ層を形成した場合には、この仕上げ層に防水性が無く、ひび割れ追従性能に劣り、また塗膜が剥がれ易く、さらに躯体であるコンクリート系構造物に対する中性化抑制効果が劣るといった課題がある。
【０００５】
本発明は前記事情に鑑みてなされたもので、その目的とするところは、樹脂系の仕上げ材の欠点と無機系の仕上げ材の欠点とを互いに補うようにして優れた効果を発揮する、外壁構造とこのような外壁面の外装仕上げ方法とを提供することにある。
【０００６】
【課題を解決するための手段】
本発明の外壁構造では、コンクリート建造物の外壁のひび割れが形成された下地上に樹脂系仕上げ塗材からなる樹脂系仕上げ層が形成され、該樹脂系仕上げ層上に、前記ひび割れを覆うように補強テープが貼られ、前記樹脂系仕上げ層および前記補強テープの上に無機系仕上げ塗材からなる無機系仕上げ層が形成され、前記補強テープは、接着剤が含浸された布材からなることを前記課題の解決手段とした。
【０００７】
この外壁構造によれば、外壁の下地上に樹脂系仕上げ塗材からなる樹脂系仕上げ層が形成され、該樹脂系仕上げ層上に無機系仕上げ塗材からなる無機系仕上げ層が形成されてなるので、内側に配置された樹脂系仕上げ層が良好な水密性やコンクリート建造物の中性化抑制効果とひび割れ追従性能を発揮し、一方、外側に配置された無機系仕上げ層が紫外線による劣化をほとんど受けないなど耐候性に優れ、また質感や重厚感があるなど意匠的に優れ、さらに汚れにくいなどの効果を発揮する。
【０００８】
本発明の外壁面の外装仕上げ方法では、まず、該コンクリート建造物の外壁のひび割れが形成された下地面に樹脂系仕上げ塗材を塗布して樹脂系仕上げ層を形成し、次いで、この樹脂系仕上げ層上に、前記ひび割れを覆うように、接着剤が含浸された布材からなる補強テープを貼り、前記樹脂系仕上げ層および前記補強テープの上に無機系仕上げ塗材を塗布して無機系仕上げ層を形成することを前記課題の解決手段とした。
【０００９】
この外壁面の外装仕上げ方法によれば、外壁下地面に樹脂系仕上げ塗材を塗布することにより、良好な水密性やコンクリート建造物の中性化抑制効果を発揮する樹脂系仕上げ層を仕上げ層全体の内側に形成することが可能になり、また、該樹脂系仕上げ層上に無機系仕上げ塗材を塗布することにより、紫外線による劣化をほとんど受けないなど耐候性に優れ、また質感や重厚感があるなど意匠的に優れ、さらに汚れにくいなどの効果を発揮する無機系仕上げ層を仕上げ層全体の外側に形成することが可能になる。
【００１０】
【発明の実施の形態】
以下、本発明を詳しく説明する。
図１（ａ）〜（ｄ）は、本発明における請求項１記載の外壁構造を形成するための一方法となる請求項２記載の外壁面の仕上げ方法を、コンクリート建造物のひび割れ補修仕上げ方法に適用した場合の、一実施形態例を説明するための要部断面図であり、これらの図において符号１はコンクリート建造物の躯体である。
【００１１】
この建造物の躯体１には、図１（ａ）に示すようにその外面側にモルタル仕上げによるモルタル層２が形成され、さらにその表面に旧仕上げ層３が形成されて外壁とされている。また、このような構成からなる外壁には、経年劣化等によって躯体１から旧仕上げ層３表面にまでひび割れ４が形成されている。
【００１２】
このようなひび割れ４が形成されているコンクリート建造物を補修仕上げ処理するには、まず、外壁の下地の表面、すなわちこの例では旧仕上げ層３の表面に樹脂系（有機系）仕上げ塗材を塗布してこれを硬化させ、図１（ｂ）に示すように樹脂系仕上げ層５を形成する。樹脂系仕上げ塗材としては、硬化後に弾性を発現してエラストマーとなる樹脂が用いられる。具体的には、ウレタン系の樹脂からなる防水材、例えば株式会社ダイフレックス製のネオフレックスＵ［商品名］が好ましく、特に水硬化性のものが、溶剤を用いないことにより環境保護や作業環境向上が可能となって望ましい。
【００１３】
なお、この樹脂系仕上げ層５の形成については、経年劣化等によって躯体１から旧仕上げ層３表面にまで現れているひび割れ４を覆う状態に樹脂系仕上げ塗材を塗布することによって行い、本例では下地となる躯体１上の旧仕上げ層３全面に樹脂系仕上げ塗材を塗布している。
【００１４】
次いで、図１（ｃ）、図２に示すようにひび割れ４の開口部（ひび割れ箇所）を覆った（塞いだ）状態で前記樹脂系仕上げ層５上に補強テープ６を貼るとともにこの補強テープ６に接着剤（図示せず）を含浸させる。なお、ひび割れ４への補強テープ６の貼り方としては、図２に示したように、ひび割れ４開口部の曲折に沿って複数のテープ片６ａをつなぎ合わせ、ひび割れ４の開口部全てを覆う（塞ぐ）ようにする。
【００１５】
補強テープ６としては、引張り強度等の機械強度に優れた織布又は不織布が好ましく、例えばガラスクロス（ガラス織布）が好適に用いられる。ガラスクロスは、ガラス糸を数本合撚糸して織機で製織した布である。なお、このような補強テープ６は、当然それ自体には接着性や粘着性が無いため、予めその裏面に接着剤や粘着材を塗布したものを用意し、これを用いてもよく、その場合にはこれをひび割れ４上に貼った後、該補強テープ６に接着剤を含浸させるようにする。
【００１６】
また、ひび割れ４上に貼る直前に、例えば補強テープ６の各テープ片６ａ…を接着剤中に浸漬し、接着剤を十分に含浸させた後、そのままひび割れ４上に貼着するようにしてもよく、このようにして貼着すれば、補強テープ６としては特に接着層あるいは粘着層を予め有したものを用いる必要がなく、補強テープ６そのもののコストを低く押さえることができるとともに、その取り扱い性も容易にすることができる。
【００１７】
補強テープ６に含浸される接着剤としては、補強テープに高剛性を付与するものであれば特に限定されることはないものの、作業性を考慮すると短時間で硬化するもので、溶剤を用いない水系のタイプが好ましく、例えば水系エポキシ樹脂からなるものが好適に用いられる。
【００１８】
このように接着剤が含浸されることによって補強テープ６は、前記樹脂系仕上げ層５上に確実に固着するとともに、高剛性化されたものとなる。したがって、ひび割れ４の開口部上において開口部が広がることにより樹脂系仕上げ層５に凹みが現出したとしても、補強テープ６はその高い剛性によってこの凹みに追従することなく、平板状を維持する。
【００１９】
その後、前記躯体１の全面、すなわち樹脂系仕上げ層５の上に、前記補強テープ６を覆った状態に無機系仕上げ塗材を塗布し、図１（ｄ）に示すように補強テープ６を埋め込んだ状態に無機系仕上げ層７を形成する。これによりひび割れ補修を完了させると同時に、その仕上げ処理をも完了させ、本発明の外壁構造１０を得る。
【００２０】
無機系仕上げ塗材としては、特に限定されることなく、従来公知のものが使用可能であり、樹脂系成分を含有するいわゆる無機質系も使用できる。
【００２１】
本発明の外壁面の仕上げ方法にあっては、躯体１上の下地の表面（旧仕上げ層３の表面）に樹脂系仕上げ塗材を塗布して樹脂系仕上げ層５を仕上げ層全体の内側に形成するので、この樹脂系仕上げ層５が良好な水密性を呈し、さらにコンクリート建造物の躯体１の中性化抑制効果とひび割れ追従性能とを発揮することにより、従来の無機系の塗材のみで外装仕上げ層を形成した場合の課題を解消することができる。
【００２２】
また、特に樹脂系仕上げ塗材としてウレタン系の樹脂からなる防水材を用いれば、より良好な防水性能を有した外壁面に仕上げることができ、さらに水硬化性のものを用いれば、溶剤を用いないことにより環境保護や作業環境向上を図ることができる。
【００２３】
また、該樹脂系仕上げ層５上に無機系仕上げ塗材を塗布して無機系仕上げ層７を仕上げ層全体の外側に形成するので、この無機系仕上げ層７が紫外線による劣化をほとんど受けないなど耐候性に優れ、また質感や重厚感があるなど意匠的に優れ、さらに汚れにくく通気性もよいなどの効果を発揮するので、従来の樹脂系の塗材のみで外装仕上げ層を形成した場合の課題を解消することができる。
【００２４】
また、下地の表面（旧仕上げ層３の表面）に樹脂系仕上げ塗材を塗布して樹脂系仕上げ層５を形成するので、補修後、この樹脂系仕上げ層５がその弾性によって緩衝層として機能するようになり、したがってこの樹脂系仕上げ層５がひび割れ４の箇所にかかる応力を吸収緩和することにより、ひび割れ４が無機系仕上げ層７に及ぶことを抑制することができる。
【００２５】
また、ひび割れ４の開口部を覆って補強テープ６を高剛性化した状態に貼着しているので、補修後万一ひび割れ４が広がっても、この補強テープ６がひび割れ４の広がりに追従して撓んだりすることなく平板状に張った状態を維持する。したがって、これを覆い埋め込んで形成された無機系仕上げ層７の表面には、経年変化によっても補修の痕跡が現出してしまうことがなく、これによりその外壁面の美観が保持されるようになる。
さらに、ひび割れ４の開口部に沿ってＵカット等による溝を形成する必要がないので、騒音や粉塵等をだすことがなく、また、補強テープ６を覆って直接仕上げ材を塗布するので、ひび割れの補修に留まらず、そのまま外装仕上げを完了することができる
【００２６】
なお、前記実施形態例では、本発明の外壁面の仕上げ方法を、コンクリート建造物のひび割れ補修兼仕上げに適用した場合について説明したが、本発明はこれに限定されることなく、ひび割れ補修でなく外壁の予防保全を目的とした補修にも適用可能であり、さらに、補修でなく建造物の外壁を新築する場合にも適用可能である。
【００２７】
また、前記実施形態例では、樹脂系の仕上げ層５と無機系の仕上げ層７とを連続して形成することにより本発明の外壁構造を得たが、本発明の外壁構造はこのようにして得られたものに限定されることなく、例えば樹脂系の仕上げ層５がすでに形成されている外壁に対して、該仕上げ層５上に補修として無機系仕上げ層７を形成した場合にも、得られた外壁構造は本発明の外壁構造となる。
【００２８】
【発明の効果】
以上説明したように本発明の外壁構造は、下地上に樹脂系仕上げ塗材からなる樹脂系仕上げ層が形成され、該樹脂系仕上げ層上に無機系仕上げ塗材からなる無機系仕上げ層が形成されてなるものであるから、この樹脂系仕上げ層が良好な水密性を呈し、さらにコンクリート建造物の中性化抑制効果とひび割れ追従性能とを発揮することにより、従来の無機系の塗材のみで外装仕上げ層を形成した場合の課題を解消することができる。
【００２９】
また、該樹脂系仕上げ層上に無機系仕上げ塗材を塗布して無機系仕上げ層を外側に形成するので、この無機系仕上げ層が紫外線による劣化をほとんど受けないなど耐候性に優れ、また質感や重厚感があるなど意匠的に優れ、さらに汚れにくく通気性もよいなどの効果を発揮するので、従来の樹脂系の塗材のみで外装仕上げ層を形成した場合の課題を解消することができる。
【００３０】
したがって、この外壁構造によれば、樹脂系の仕上げ材の欠点と無機系仕上げ材の欠点とを互いに補うことにより、以下の優れた効果を奏する。
（１）コンクリート建造物のメンテナンスサイクルを伸ばして環境負荷を低減することができる。
（２）壁面防水を行うと同時に、質感や重厚感があり、意匠的に優れた無機系の外装面を形成することができる。
（３）仕上げ層全体の内側に樹脂系の仕上げ層を配したことにより、酸性雨や炭酸ガスの影響によるコンクリート建造物の中性化を抑制することができる。
（４）通気性能を大幅に損なうことなく防水を可能にすることができる。
【００３１】
本発明の外壁面の仕上げ方法は、外壁下地面に樹脂系仕上げ塗材を塗布することにより、良好な水密性やコンクリート建造物の中性化抑制効果を発揮する樹脂系仕上げ層を仕上げ層全体の内側に形成することができ、また、該樹脂系仕上げ層上に無機系仕上げ塗材を塗布することにより、紫外線による劣化をほとんど受けないなど耐候性に優れ、また質感や重厚感があるなど意匠的に優れ、さらに汚れにくいなどの効果を発揮する無機系仕上げ層を仕上げ層全体の外側に形成することができる。
【００３２】
したがって、この外壁面の仕上げ方法にあっても、樹脂系の仕上げ材の欠点と無機系仕上げ材の欠点とを互いに補うことができ、前記（１）〜（４）に述べた優れた効果を奏する。
【図面の簡単な説明】
【図１】  図１（ａ）〜（ｄ）は、本発明の外壁面の仕上げ方法を、コンクリート建造物のひび割れ補修方法に適用した場合の、一実施形態例を工程順に説明するための要部断面図である。
【図２】  ひび割れの開口部を覆った状態で下地層上に補強テープを貼る状態を説明するための要部正面図である。
【符号の説明】
１…躯体、２…モルタル層、３…旧仕上げ層、４…ひび割れ、５…樹脂系仕上げ層、６…補強テープ、７…無機系仕上げ層、１０…外壁構造
【図１】
0004346219.tif 000002
【図２】
0004346219.tif 000003